(57)【要約】【課題】  接着剤やネジ止めを用いずに外観を損なうことなく、取り付けおよび取り外しも容易に行うことができ、また部品点数を多くすることなく簡単な構成で作成も容易に行えるスピーカグリルおよび設備用スピーカを提供することを目的とする。【解決手段】  内部にスピーカを備えたスピーカユニットに取り付けるスピーカグリルであって、スピーカユニットの正面を覆う被覆部と、被覆部の背面側に固定され、スピーカユニットのスピーカグリルを配置する面に設けられている複数の凹部または凸部に相対する位置にそれぞれ嵌まり合うように凸部または凹部を備える中間部材とを備える。【選択図】  図１
2017085343.tif 000002
【特許請求の範囲】
【請求項１】
内部にスピーカを備えたスピーカユニットに取り付けるスピーカグリルであって、
前記スピーカユニットの正面を覆う被覆部と、
前記被覆部の背面側に固定され、前記スピーカユニットのスピーカグリルを配置する面に設けられている複数の凹部または凸部に相対する位置に、それぞれ嵌まり合うように凸部または凹部を備える中間部材と
を備えることを特徴とするスピーカグリル。
【請求項２】
請求項１に記載のスピーカグリルにおいて、
前記被覆部は、前記スピーカユニットの正面を覆う主被覆面と、該主被覆面から背面方向に延びた側面と、該側面から正面後方側に折り返された折り返し部とを備え、
前記中間部材は、所定の固定手段により前記折り返し部に固定されることを特徴とするスピーカグリル。
【請求項３】
請求項１または２に記載のスピーカグリルにおいて、
前記被覆部の主被覆面は、３次元形状であることを特徴とするスピーカグリル。
【請求項４】
請求項１から３の何れか１つに記載のスピーカグリルにおいて、
前記被覆部は、金属製で成形されたものであることを特徴とするスピーカグリル。
【請求項５】
請求項１から４の何れか１つに記載のスピーカグリルと、該スピーカグリルの中間部材の凸部または凹部に相対する位置に凹部または凸部を備えたスピーカユニットとを備え、前記スピーカグリルの凸部または凹部と前記スピーカユニットの凹部または凸部とを嵌め合わせることで前記スピーカユニットに前記スピーカグリルを固定することを特徴とする設備用スピーカ。
【発明の詳細な説明】
【技術分野】
【０００１】
この発明は、サーフェイス・マウント・スピーカなどの設備用スピーカに適用して好適なスピーカグリルおよび該スピーカグリルを利用した設備用スピーカに関する。
【背景技術】
【０００２】
サーフェイス・マウント・スピーカとは、設備用スピーカの一種であり、壁や天井に取り付けるタイプのスピーカ（広義）である。また、スピーカグリルとは、筐体に取り付けられたスピーカの開口部（振動板側）を覆うカバーである。スピーカグリルには、木製や合成樹脂製のフレームにサランネットと呼ばれる布製のネットを貼ったものや、金属製のものがある。従来、ユーザがスピーカグリルをスピーカ正面に取り付ける際には、接着剤で接着したり、ネジ止めで固定することが行われていた。
【０００３】
また、下記特許文献１は、グリルフレームの前面に伸縮性を有するネットを支持バーを使用して固定するスピーカグリルを開示する（段落００１７〜００２０および図１，２など）。グリルフレームの背面の４隅に固定突起が設けられており、これらの固定突起でスピーカシステムの筐体の前面に固定する。
【０００４】
下記特許文献２は、浴室ユニット用の音響装置を開示する。スピーカの音響放射面を保護する化粧カバー（あるいは化粧グリル）が、該化粧カバーの枠に形成された係止爪によって取り付けられている（段落００３４および図１，３，５など）。
【先行技術文献】
【特許文献】
【０００５】
【特許文献１】特開２００３−１７４６９１号公報
【特許文献２】特開２００５−１４３９００号公報
【発明の概要】
【発明が解決しようとする課題】
【０００６】
上述のスピーカグリルをスピーカ正面に接着剤で接着する方法では、接着剤の経年劣化により、スピーカグリルの接着が長期間の使用に耐えかねるおそれがある。また、ネジ止めする方法では、前面にネジの頭部分が露出してしまうので外観が損なわれるという問題がある。さらに、スピーカグリルが３次元形状（例えば表面が曲面）を有する場合には、ネジをスピーカ正面の平面に対して垂直に当てることができない場合があり、スピーカグリルの取り付けが困難になるという問題がある。
【０００７】
上記特許文献１のスピーカグリルは、支持バーが必要で部品点数が多くなるという問題がある。また、上記特許文献１の技術は、布製のネットを利用することが前提のものであって、該ネット部分が金属製のものには適用することができない。さらに、上記特許文献１の技術は、グリルフレームの背面に固定突起を形成しなければならず、グリルフレームの作成が面倒である。
【０００８】
上記特許文献２では、スピーカグリルに相当する化粧カバーの枠に係止爪の構造を形成し、取り付けられる側であるスピーカの筐体側にもその係止爪を受ける係止穴の構造を形成する必要があり、それらの加工が面倒である。
【０００９】
本発明の目的は、スピーカが配置される筐体の前面を覆うスピーカグリルを、接着剤で接着したりネジ止めで固定するのではなく、また取り付けたときの外観を損なうことなく、取り付けおよび取り外しも容易に行うことができるようなものとすることにある。さらに、本発明の目的は、部品点数を多くすることなく簡単な構成で、作成も容易に行えるようなスピーカグリルおよび設備用スピーカを提供することにある。
【課題を解決するための手段】
【００１０】
上記目的を達成するため、請求項１に係る発明は、内部にスピーカを備えたスピーカユニットに取り付けるスピーカグリルであって、前記スピーカユニットの正面を覆う被覆部と、前記被覆部の背面側に固定され、前記スピーカユニットのスピーカグリルを配置する面に設けられている複数の凹部または凸部に相対する位置に、それぞれ嵌まり合うように凸部または凹部を備える中間部材とを備えることを特徴とする。
【００１１】
請求項２に係る発明は、請求項１に記載のスピーカグリルにおいて、前記被覆部は、前記スピーカユニットの正面を覆う主被覆面と、該主被覆面から背面方向に延びた側面と、該側面から正面後方側に折り返された折り返し部とを備え、前記中間部材は、所定の固定手段により前記折り返し部に固定されることを特徴とする。
【００１２】
請求項３に係る発明は、請求項１または２に記載のスピーカグリルにおいて、前記被覆部の主被覆面は、３次元形状であることを特徴とする。
【００１３】
請求項４に係る発明は、請求項１から３の何れか１つに記載のスピーカグリルにおいて、前記被覆部は、金属製で成形されたものであることを特徴とする。
【００１４】
請求項５に係る発明は、請求項１から４の何れか１つに記載のスピーカグリルと、該スピーカグリルの中間部材の凸部または凹部に相対する位置に凹部または凸部を備えたスピーカユニットとを備え、前記スピーカグリルの凸部または凹部と前記スピーカユニットの凹部または凸部とを嵌め合わせることで前記スピーカユニットに前記スピーカグリルを固定することを特徴とする設備用スピーカである。
【発明の効果】
【００１５】
本発明によれば、接着剤で接着したりネジ止めで固定することなく、取り付けたときの外観を損なうこともなく、取り付けおよび取り外しも容易に行うことができるスピーカグリルおよび設備用スピーカを実現することができる。また、部品点数を多くすることなく簡単な構成で、作成も容易に行えるようなスピーカグリルおよび設備用スピーカを実現することができる。
【図面の簡単な説明】
【００１６】
【図１】本発明の実施形態であるスピーカグリルとスピーカユニットの斜視図
【図２】スピーカグリルの背面図および断面図
【図３】スピーカユニットの正面図および断面図
【図４】グリルバーの斜視図および側面図
【発明を実施するための形態】
【００１７】
以下、図面を用いて本発明の実施の形態を説明する。
【００１８】
図１（ａ）は、本発明を適用した実施形態のスピーカグリルの斜視図であり、スピーカグリルの背面側の斜め方向から見た状態を示している。図１（ｂ）は、該スピーカグリルを取り付けるスピーカユニットの斜視図であり、スピーカユニットの正面側の斜め方向から見た状態を示している。なお、以下で説明する各図において、同一の付番は同一のものを表すものとする。
【００１９】
図２（ａ）は図１（ａ）のスピーカグリルの背面図であり、図２（ｂ）はそのＡ−Ａ断面図である。図１（ａ）および図２（ａ）（ｂ）を参照して、本実施形態のスピーカグリル１を詳細に説明する。スピーカグリル１は、主として被覆部１０と２本の中間部材２０を構成要素としている。以下中間部材２０をグリルバー２０と呼ぶ。被覆部１０は、スピーカユニット３の前面部（正面側）を保護するカバーの役割を果たす部分である。被覆部１０は、金属製で、スピーカユニット３の前面から発生する音波を十分に通過させるための細かな穴が多数開けられている（図では不図示）。
【００２０】
被覆部１０は、主被覆面１１と上下２カ所の短辺側面１４と左右２カ所の長辺側面１２とからなる。ここで、上下左右は便宜上そのように呼んだだけのもので特に意味はない。主被覆面１１は、スピーカグリル１を正面から見たとき平面形状とはなっておらず、中央部分が盛り上がり該中央部分から周囲に向かって徐々に下がっていくような丸みを帯びた３次元形状を有している。これにより、スピーカ６０から放音された音が当該３次元形状を有する主被覆面１１により拡散され、より広角に渡って放音することができる。ただし、スピーカ６０等を保護するという目的においては、主被覆面１１の正面から見たときの形状は平面形状であっても良いし、その他の形状であっても良い。
【００２１】
２カ所の短辺側面１４は、主被覆面１１から背面方向に延びた折り曲げ部分のみ（実際には面と呼ぶほどの大きさはない）からなる。２カ所の長辺側面１２は、主被覆面１１から背面方向に延びた折り曲げ部分が、主被覆面１１の形状に伴い真ん中が盛り上がる形状（側面から見ると細長い弓状の形）となっている。長辺側面１２には、該側面１２から正面後方側に折り曲げられた折り返し部１３が４カ所に形成されている。折り返し部１３の中央には、後述するグリルバー２０をネジ１５で固定するための穴が設けられている。主被覆面１１、短辺側面１４、長辺側面１２、および折り返し部１３からなる被覆部１０は、音波を通す細かな穴が多数開けられた金属板をプレス加工などすることで一体的な成形で作成される。
【００２２】
図４を参照して、グリルバー２０を説明する。図４（ａ）はグリルバー２０の斜視図、図４（ｂ）は側面図である。グリルバー２０は、４角柱の棒状部２１の端部２２に、スピーカユニット３への取り付け用の凸部２３とネジ止め用の穴２４を設けたものである。グリルバー２０は、合成樹脂製で一体成形で作成される。
【００２３】
図１（ａ）および図２（ａ）（ｂ）に、被覆部１０の背面側に図４のグリルバー２０を固定した様子を示す。被覆部１０の短辺方向に平行な方向で向かい合った２つの折り返し部１３を渡すように、２カ所に、グリルバー２０を配置してネジ１５でネジ止めする。これにより、図２（ｂ）からも分かるように、被覆部１０の背面側の面位置から４カ所の凸部２３が突出するように２本のグリルバー２０が固定される。
【００２４】
次に、図１（ｂ）および図３を参照して、スピーカユニットについて説明する。図３（ａ）はスピーカユニットの正面図、図３（ｂ）はＢ−Ｂ断面図である。スピーカユニット３は、前面板３０と後部カバー４０を備える。前面板３０は、後部カバー４０に嵌め合わせて固定されている。前面板３０と後部カバー４０により、内部に中空部５０が形成され、ここにスピーカ６０などが配置される。
【００２５】
前面板３０には４カ所に凹部３１が設けられている。凹部３１は、該凹部３１に、スピーカグリル１の４カ所の凸部２３が嵌まるような４カ所の位置に設けられている。凹部３１は、ゴムブッシュ３２が前面板３０の上記４カ所の位置に埋め込まれて形成されている。ゴムブッシュ３２は、内径部分が波状に加工され、内径の中心位置に向かう波状の６本の突出部が形成されている。これにより、凹部３１にスピーカグリル１の凸部２３を挿入すると、凹部３１の内径の６本の突出部が樹脂製の凸部２３をしっかりと係止するので、スピーカユニット３に対してスピーカグリル１が容易に外れることがないように固定できる。スピーカユニット３にスピーカグリル１を取り付けて設備用スピーカが完成する。
【００２６】
なお、ここではスピーカグリル１側に凸部２３を設け、スピーカユニット３側に凹部３１を設けたが、逆にスピーカグリル１側に凹部を設け、スピーカユニット３側に凸部３１を設けてもよい。また、凸部と凹部の数はそれぞれ４つずつとしたが、スピーカユニット３に対してスピーカグリル１がしっかりと固定できればその数や位置は任意である。さらに、凸部と凹部による取り付け方法以外の方法を用いてもよい。例えば、凸部と凹部の代わりに一方を磁石、他方を磁石又は金属として磁性的な引力を用いた取り付け方法を採用しても良い。
【００２７】
以上説明した実施形態のスピーカグリル１によれば、接着剤で接着したりネジ止めすることなく、スピーカグリル１側の凸部２３をスピーカユニット３側の凹部３１に挿入するだけでスピーカグリル１をスピーカユニット３に固定することができ、取り付けおよび取り外しは非常に容易である。このような設備用スピーカは、壁や天井に取り付けられるので、そのように取り付けられた状態で、メンテナンスのためにスピーカグリル１を取り外してスピーカユニット３の前面部を露出させることは良くある。本実施形態では、スピーカグリル１を容易に取り付けおよび取り外しできるのでメンテナンスも容易となる。
【００２８】
上記実施形態のスピーカグリル１では、被覆部１０の背面側に折り返し部１３を設け、該折り返し部１３にネジ止めでグリルバー２０を固定している。また、スピーカユニット３に取り付けるための凸部２３は、被覆部１０側に形成するのでなくグリルバー２０側に設けている。そのため、被覆部１０の主被覆面１１の表面にネジなどが露出することもなく外観が損なわれることがない。
【００２９】
さらに、被覆部１０にグリルバー２０をネジ１５で固定するだけでスピーカグリル１が構成されるので、部品点数も少なく作成も容易である。
【００３０】
スピーカユニット３に取り付けるための凸部２３は、被覆部１０に直接形成するのではなく、グリルバー２０上に凸部２３を形成し、そのグリルバー２０を被覆部１０に固定するようにしている。そのため、カバーである被覆部１０の形状は、比較的自由度高く決めることができる。例えば、本実施形態のように被覆部１０の主被覆面１１を曲面などの３次元形状（主被覆面１１を平面でない形状にすること）にしたとしても、該被覆部１０に凸部２３を形成する必要がないので、問題はない。
【００３１】
上記実施形態では、グリルバー２０は細長い形状としたが、グリルバー２０の形状はこれに限らず任意である。グリルバー２０は、被覆部１０の背面側に固定することができ、スピーカユニット３側の凹部３１に挿入する凸部２３が形成されているものであればよいので、グリルバー２０自体はそれ程大きくする必要はない。従って、被覆部１０を通過する音波を遮音するデメリットもほとんど無い。
【００３２】
被覆部１０は金属製が好ましい。被覆部１０を金属製とすることで、変形しにくく、折り返し部１３を含めて一体的に成形すれば作成も容易である。折り返し部１３は、被覆部１０の側面１２から正面後方側に折り返して形成し、折り返し部１３へのグリルバー２０の取り付けはネジ止めで行っているが、取り付け部の位置や取り付け方法はこれに限らない。例えば、側面１２からネジ止めでグリルバー２０を固定しても良い。また、ネジ止めの代わりに他の固定方法を用いても良い。
【符号の説明】
【００３３】
１…スピーカグリル、１０…被覆部、１１…主被覆面、１２…長辺側面、１３…折り返し部、１４…短辺側面、１５…ネジ、２０…グリルバー（中間部材）、２１…棒状部、２２…端部、２３…凸部、２４…ネジ止め用穴、３…スピーカユニット、３１…凹部、３２…ゴムブッシュ、６０…スピーカ。
【図１】
2017085343.tif 000003
【図２】
2017085343.tif 000004
【図３】
2017085343.tif 000005
【図４】
2017085343.tif 000006